(57)【要約】【課題】  複数の画像形成装置が接続された画像形成システムにおいて、試しコピーモードが実行された時の子機側のメモリ資源を有効活用する画像形成連結システムを提供する。【解決手段】  親機では、最終原稿であればそれまで読み込んだ原稿の印刷を１部分だけ行う（Ｓ７）。継続が選択されると、子機に対してこれから連結印刷を行うためにジョブスタート要求を送信する（Ｓ１０）。試しコピー設定部数が１部であるかどうかの判定を行い（Ｓ１２）、１部以外の設定であれば、画像読み込むことにより得られた画像に関する情報を連結インターフェースを介して親機から子機へ送信する（Ｓ１５）。子機では、親機からの全画像転送終了を待つ（Ｓ２９）。ここで親機から全画像転送終了を受信すると、その部の印刷を子機にて行ってもよいかの問い合わせを親機に送信し（Ｓ３１）、その返信がＯＫならば実際に印刷を実行する（Ｓ３２）。そして最終ページまでの印刷が１部完了すると印刷結果成功を親機に送信する（Ｓ３３）。【選択図】            図８
2005197961.tif 000002
【特許請求の範囲】
【請求項１】
原稿画像を読み取る読み取り手段と、受信した画像データを記憶する記憶手段と、該記憶手段によって記憶された画像データを印刷する印刷手段と、他の装置と相互に情報を送受信する連結手段と、設定された印刷条件により印刷設定部数に関わらず一部だけの印刷をして一旦停止させる試しコピー手段とを備えた複数の画像形成装置が電気的に接続されて構成され、前記複数の画像形成装置のうちの任意の一台が親機となり、前記読み取り手段により読み取った画像データを他の子機となる画像形成装置に転送し、前記親機と子機が分担して印刷を行う印刷分担手段を備えた画像形成連結システムにおいて、
前記親機は、前記読み取り手段により最終原稿の読み取りを完了し、前記試しコピー手段により１部だけの印刷完了後、２部目以降の印刷を行うか否かの判断に基づいて、前記子機へ前記画像データの転送するか否かを決定することを特徴とする画像形成連結システム。
【請求項２】
前記親機は、前記読み取り手段により最終原稿の読み取りを完了し、前記試しコピー手段により１部だけの印刷完了後、２部目以降の印刷を行うことが決定した場合、前記子機へ前記画像データの転送を開始することを特徴とする請求項１に記載の画像形成連結システム。
【請求項３】
前記親機は、前記読み取り手段により最終原稿の読み取りを完了し、前記試しコピー手段により１部だけの印刷完了後、試しコピー設定部数が１部であった場合、前記子機へ前記画像データの転送を行わないことを特徴とする請求項１に記載の画像形成連結システム。
【請求項４】
前記子機は、前記親機から全画像転送終了を受信すると、当該画像の印刷を当該子機にて行ってもよいか否かを前記親機に問い合わせ、該問い合わせの結果、印刷不可の結果を受けた場合、当該子機にて分担する印刷がなくなった時点で当該子機に転送された画像を削除することを特徴とする請求項１に記載の画像形成連結システム。
【発明の詳細な説明】
【技術分野】
【０００１】
本発明は、画像形成連結システムに関し、特に連結動作手段を有し、複数の画像形成装置で印刷を分担できる画像形成連結システムのメモリ使用方法に関するものである。
【背景技術】
【０００２】
近年、複数台のデジタル複写機を接続し、読み込んだ画像データを連結システムに接続されている子機に送信して、指定された部数のコピー動作を親機及び子機の複写機で分担させることにより、コピー生産性おより利用効率の向上を図った連結コピーが知られている。さらに子機においては画像データが送信されて印刷を分担する前に他の印刷ジョブが動作中でることや画像送信中あるいは分担印刷中に次ジョブが予約されることがある。
また特開２００２−１４２０５０公報には、複数の画像形成装置を接続した画像形成システムにおいて、試しコピーを原稿読み取りを行う装置以外の装置でも行えるようにする技術について開示されている。
【特許文献１】特開２００２−１４２０５０公報
【発明の開示】
【発明が解決しようとする課題】
【０００３】
しかし、特許文献１に開示されている従来技術は、複数の画像形成装置を接続した画像形成システムにおいて、試しコピーを原稿読み取りを行う装置以外でも行えるようにしている。しかし、試しコピー時、原稿読み取りを行った画像をどのタイミングで転送するのかは特に言及されていない。
本発明は、かかる課題に鑑み、複数の画像形成装置が接続された画像形成システムにおいて、試しコピーモードが実行された時の子機側のメモリ資源を有効活用する画像形成連結システムを提供することを目的とする。
【課題を解決するための手段】
【０００４】
本発明はかかる課題を解決するために、請求項１は、原稿画像を読み取る読み取り手段と、受信した画像データを記憶する記憶手段と、該記憶手段によって記憶された画像データを印刷する印刷手段と、他の装置と相互に情報を送受信する連結手段と、設定された印刷条件により印刷設定部数に関わらず一部だけの印刷をして一旦停止させる試しコピー手段とを備えた複数の画像形成装置が電気的に接続されて構成され、前記複数の画像形成装置のうちの任意の一台が親機となり、前記読み取り手段により読み取った画像データを他の子機となる画像形成装置に転送し、前記親機と子機が分担して印刷を行う印刷分担手段を備えた画像形成連結システムにおいて、前記親機は、前記読み取り手段により最終原稿の読み取りを完了し、前記試しコピー手段により１部だけの印刷完了後、２部目以降の印刷を行うか否かの判断に基づいて、前記子機へ前記画像データの転送するか否かを決定することを特徴とする。
画像形成連結システムにおいて、印刷すべき画像データを親機から子機に転送する場合、親機は一連の画像データを全て子機に転送して、その後、子機は受信した画像データに基づいて必要な部数を印刷する。このモードは親機が画像データを全て子機に転送した後、親機は完全にフリーとなり、他の動作を行うことができるためパフォーマンス重視モードと呼ぶ。本発明はこのモードにおいて、親機が１部目を試し印刷するようにして、２部目以降の印刷の可否判断に基づいて子機へ画像データを転送するか否かを決定するものである。
かかる発明によれば、親機は、読み取り手段により最終原稿の読み取りを完了し、試しコピー手段により１部だけの印刷完了後、２部目以降の印刷を行うか否かの判断に基づいて、子機へ画像データを転送するか否かを決定するので、不必要に子機にジョブスタートを与えることが無くなり、子機を不要に占有することを回避することができる。
請求項２は前記親機は、前記読み取り手段により最終原稿の読み取りを完了し、前記試しコピー手段により１部だけの印刷完了後、２部目以降の印刷を行うことが決定した場合、前記子機へ前記画像データの転送を開始することを特徴とする。
本発明は、２部目以降の印刷を行うことが決定した場合に限り、子機へ画像データの転送を開始する。これにより、子機は印刷部数が１部以上の場合に限りメモリを使用するので、不要なデータの転送をなくし、メモリの有効活用を図ることができる。
かかる発明によれば、親機は、読み取り手段により最終原稿の読み取りを完了し、試しコピー手段により１部だけの印刷完了後、２部目以降の印刷を行うことが決定した場合、子機へ画像データの転送を開始するので、子機は印刷部数が１部以上の場合に限りメモリを使用するので、メモリの有効活用を図ることができる。
【０００５】
請求項３は、前記親機は、前記読み取り手段により最終原稿の読み取りを完了し、前記試しコピー手段により１部だけの印刷完了後、試しコピー設定部数が１部であった場合、前記子機へ前記画像データの転送を行わないことを特徴とする。
本発明は、試しコピー設定部数が１部で、２部目以降の印刷を行わないことが決定した場合、子機へ画像データの転送を行わない。これにより、子機は不要なデータの転送をなくし、メモリの有効活用を図ることができる。
かかる発明によれば、親機は、読み取り手段により最終原稿の読み取りを完了し、試しコピー手段により１部だけの印刷完了後、試しコピー設定部数が１部であった場合、子機へ画像データの転送を行わないので、子機は不要なデータの転送をなくし、メモリの有効活用を図ることができる。
請求項４は、前記子機は、前記親機から全画像転送終了を受信すると、当該画像の印刷を当該子機にて行ってもよいか否かを前記親機に問い合わせ、該問い合わせの結果、印刷不可の結果を受けた場合、当該子機にて分担する印刷がなくなった時点で当該子機に転送された画像を削除することを特徴とする。
子機が親機から画像データの全てを転送完了した信号を受信すると、子機はその画像データの印刷を行ってよいか否かを問い合わせ、その結果、印刷不可であった場合、子機に記憶した全画像データを消去して、メモリをクリアにする。これにより、子機側のメモリ資源の有効活用を図ることができる。
かかる発明によれば、子機は、親機から全画像転送終了を受信すると、当該画像の印刷を当該子機にて行ってもよいか否かを親機に問い合わせ、問い合わせの結果、印刷不可の結果を受けた場合、当該子機にて分担する印刷がなくなった時点で当該子機に転送された画像を削除するので、子機側のメモリ資源の有効活用を図ることができる。
【発明の効果】
【０００６】
請求項１の発明によれば、親機は、読み取り手段により最終原稿の読み取りを完了し、試しコピー手段により１部だけの印刷完了後、２部目以降の印刷を行うか否かの判断に基づいて、子機へ画像データを転送するか否かを決定するので、不必要に子機にジョブスタートを与えることが無くなり、子機を不要に占有することを回避することができる。
また請求項２では、親機は、読み取り手段により最終原稿の読み取りを完了し、試しコピー手段により１部だけの印刷完了後、２部目以降の印刷を行うことが決定した場合、子機へ画像データの転送を開始するので、子機は印刷部数が１部以上の場合に限りメモリを使用するので、メモリの有効活用を図ることができる。
また請求項３では、親機は、読み取り手段により最終原稿の読み取りを完了し、試しコピー手段により１部だけの印刷完了後、試しコピー設定部数が１部であった場合、子機へ画像データの転送を行わないので、子機は不要なデータの転送をなくし、メモリの有効活用を図ることができる。
また請求項４では、子機は、親機から全画像転送終了を受信すると、当該画像の印刷を当該子機にて行ってもよいか否かを親機に問い合わせ、問い合わせの結果、印刷不可の結果を受けた場合、当該子機にて分担する印刷がなくなった時点で当該子機に転送された画像を削除するので、子機側のメモリ資源の有効活用を図ることができる。
【発明を実施するための最良の形態】
【０００７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明にかかる画像形成装置の構成図である。自動原稿送り装置（以下、ＡＤＦと記す）１の原稿台２に原稿の画像面を上にして置かれた原稿束は、後述する操作部３０上のスタートキー３４が押下されると、一番上の原稿から給送ローラ３、給送ベルト４によってコンタクトガラス６上の所定の位置に給送される。読み取りユニット５０（読み取り手段）によってコンタクトガラス６上の原稿の画像データを読み取り後、読み取りが終了した原稿は、給送ベルト４及び排送ローラ５によって排出される。さらに、原稿セット検知７にて原稿台２に次の原稿が有ることを検知した場合、前原稿と同様にコンタクトガラス６上に給送される。給送ローラ３、給送ベルト４、排送ローラ５は図示しないモータによって駆動される。
また第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。読み取りユニット５０にて読み込まれた画像データは、書き込みユニット５７からのレーザによって感光体１５に潜像が形成され、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。感光体１５、搬送ベルト１６、定着ユニット１７、排紙ユニット１８等は印刷手段を構成している。
【０００８】
後処理装置のフィニシャ１００は、通常排紙ローラ１０２方向と、ステープル処理部方向に導くことができる。切り替え板１０１を上に切り替えることにより、搬送ローラ１０３を経由して通常排紙トレイ１０４側に排紙することができる。また、切り替え板１０１を下方向に切り替えることで、搬送ローラ１０５、１０７を経由して、ステープル台１０８に搬送することができる。
ステープル台１０８に積載された転写紙は、一枚排紙されるごとに紙揃え用のジョガー１０９によって紙端面が揃えられ、一部のコピー完了と共にステープラ１０６によって綴じられる。ステープラ１０６で綴じられた転写紙群は自重によって、ステープル完了排紙トレイ１１０に収納される。
一方、通常の排紙トレイ１０４は前後に移動可能な排紙トレイである。前後に移動可能な排紙トレイ部１０４は原稿毎、あるいは画像メモリによってソーティングされたコピー部毎に前後に移動し、簡易的に排出されてくるコピー紙を仕分けるものである。
また転写紙の両面に画像を作像する場合は、各給紙トレイ８〜１０から給紙され作像された転写紙を排紙トレイ１０４側に導かないで、経路切り替えのための分岐爪１１２を上側にセットする事で、一旦両面給紙ユニット１１１にストックする。その後、両面給紙ユニット１１１にストックされた転写紙は再び感光体１５に作像されたトナー画像を転写するために、両面給紙ユニット１１１から再給紙され、経路切り替えのための分岐爪１１２を下側にセットし、排紙トレイ１０４に導く。この様に転写紙の両面に画像を作成する場合に両面給紙ユニット１１１が使用される。
また感光体１５、搬送ベルト１６、定着ユニット１７、排紙ユニット１８、現像ユニット２７は後述するメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される（図４参照）。
【０００９】
次に図１を用いて、本発明における画像読み取り手段、および画像を記録面上に潜像形成するまでの動作を説明する。潜像とは感光体面上に画像を光情報に変換して照射することにより生じる電位分布である。
読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第２キャリッジ上に固定されている。原稿像を読み取るときには、光路長が変わらないように、第１キャリッジと第２キャリッジとが２対１の相対速度で機械的に走査される。この光学走査系は、図示しないスキャナ駆動モータにて駆動される。原稿画像は、ＣＣＤイメージセンサ５４によって読み取られ、電気信号に変換されて処理される。レンズ５３及びＣＣＤイメージセンサ５４を図１において左右方向に移動させることにより、画像倍率が変わる。すなわち、指定された倍率に対応してレンズ５３及びＣＣＤイメージセンサ５４の左右方向に位置が設定される。
また書き込みユニット５７はレーザ出力ユニット５８、結像レンズ５９、ミラー６０で構成され、レーザ出力ユニット５８の内部には、レーザ光源であるレーザダイオード及びモータによって高速で定速回転する回転多面鏡（ポリゴンミラー）が備わっている。レーザ出力ユニット５８より照射されるレーザ光は、定速回転するポリゴンミラーで偏光され、結像レンズ５９を通り、ミラー６０で折り返され、感光体１５面上に集光結像する。
偏光されたレーザ光は感光体が回転する方向と直行する方向（主走査方向）に露光走査され、後述する画像処理部のセレクタ６４より出力された画像信号のライン単位の記録を行う。感光体の回転速度と記録密度に対応した所定の周期で主走査を繰り返すことによって、感光体面上に画像（静電潜像）が形成される。
上述のように、書き込みユニット５７から出力されるレーザ光が、画像作像系の感光体１５に照射される。図示しないが感光体１５の一端近傍のレーザビームを照射される位置に、主走査同期信号を発生するビームセンサが配置されている。この主走査同期信号をもとに主走査方向の画像記録開始タイミングの制御、および後述する画像信号の入出力を行うための制御信号の生成を行う。
【００１０】
図２は操作部３０を示した図である。操作部３０には、液晶タッチパネル３１、テンキー３２、クリア／ストップキー（Ｃ／Ｓ）３３、プリントキー３４、予熱キー３５、リセットキー３６、ステータス表示キー３８、初期設定キー３９があり、液晶タッチパネル３１には、後述するモード設定のためのキーや画像形成装置の状態を示すメッセージなどが表示される。
図３は操作部３０の液晶タッチパネル３１の表示一例を示した図である。オペレータが液晶タッチパネル３１に表示されたキーにタッチすることで、選択された機能を示すキーが黒く反転する。また、機能の詳細を指定しなければならない場合（例えば変倍であれは変倍値等）は、キーにタッチすることで、詳細機能の設定画面が表示される。このように、液晶タッチパネルは、ドット表示器を使用しているため、その時の最適な表示をグラフィカルに行うことが可能である。
図３において中央部分は、「コピーできます」、「お待ちください」等のメッセージを表示するメッセージエリアであり、このメッセージエリア内の右にはデジタル複写機のネットワークを介して多量のプリント動作を複数に分けてプリントアウトする連結コピーキー４０、システムステータスキー４１が配置されている。またメッセージエリアの下は用紙選択キー、給紙トレイ数に対応した給紙トレイ状態を示し、手動で給紙段を設定するためのキーが給紙段分表示されている。また、倍率設定のためのキー（等倍、用紙指定変倍、拡大／縮小倍率をセットする変倍等）、両面モードを設定する両面キー、とじ代モード等を設定する編集キー、表紙／合紙モードを設定する表紙／合紙キー等が配置されている。
メッセージエリアの右はセットした枚数を表示するコピー枚数表示部、コピーを一部ずつページ順にそろえる処理を指定するソートキー、コピーをページ毎に仕分けする処理を指定するスタックキー、ソート処理されたものを一部ずつ綴じる処理を指定するステープルキーが配置されている。さらに、メッセージエリアの左には原稿種類、濃度、特殊原稿送りキーがもうけられている。
【００１１】
図４はメインコントローラ２０を中心とした制御装置４００のブロック構成図である。メインコントローラ２０は、主に、画像形成装置全体を制御する。メインコントローラ２０には、操作部３０と、画像処理ユニット（ＩＰＵ）４９と、原稿自動送り装置（ＡＤＦ）１等の分散制御装置と、連結Ｉ／Ｆ４８とが接続されている。また、メインコントローラ２０には、紙搬送等に必要なメインモータ２５と、各種クラッチ２１〜２４とが接続されている。
また操作部３０は、オペレータに対する表示を行う液晶ディスプレイ３１と、オペレータからの機能設定の入力制御を行うキー入力３２〜３５とが接続されており、図示を省略したスキャナで読み取られた原稿画像に個人情報データを付加することができる。尚、連結手段とは液晶ディスプレイ３１に設けられた連結コピーキー、メインコントローラ２０、連結Ｉ／Ｆにより構成する。画像ＩＰＵ４９は、図示しないスキャナの制御、またスキャナで読み取られた原稿画像を図示しない画像メモリに書き込む制御、あるいは画像メモリからの作像処理等の制御を行う。
連結Ｉ／Ｆ４８は、画像形成装置に接続された複数の画像形成装置の構成、機能情報および動作制御に関する情報の送受信を行う。メインコントローラ２０は、連結Ｉ／Ｆ４８を介して接続された他の画像形成装置の情報を取得し、動作を設定することにより連結動作の制御を行う。また、接続された他の画像形成装置からの要求を獲得し、自機の動作の制御を行う。各分散制御装置とメインコントローラ２０とは、必要に応じて機械の状態あるいは動作司令のやりとりを行っている。
液晶ディスプレイ３１には、接続された他の画像形成装置との情報の送受信を行うか否かを設定するための連結コピーキー４０が表示され、連結コピーキー４０をタッチすることにより、接続されている複数の画像処理装置を用いた連結動作の設定が選択され、自機が連結動作の親機として、また接続された自機以外の画像処理装置を子機として印刷動作の要求を行う。
【００１２】
図５は本発明の画像処理部（画像読み取り部と画像書き込み部）の構成図である。露光ランプ５１から照射された光の反射は、ＣＣＤイメージセンサ５４で光電変換され、Ａ／Ｄコンバータ６１でデジタル信号に変換される。デジタル信号に変換された画像信号は、シェーディング補正部６２で処理された後、ＭＴＦ・γ補正部６３で処理される。変倍処理部７２は、ＭＴＦ・γ処理部６３によりＭＴＦ・γ補正処理された画像信号を変倍率に合わせて拡大／縮小し、セレクタ６４に送出する。
セレクタ６４は、変倍処理部７２で変倍処理された画像信号を書き込みγ補正ユニット７１またはメモリコントローラ６５に出力するための切り替えが行われる。書き込みγ補正ユニット７１は、入力された信号を作像条件に合わせて書き込みγ補正し、γ補正後の画像信号を書き込みユニット５７に送出する。
セレクタ６４とメモリコントローラ６５との間は、双方向に画像信号を入出力可能な構成となっている。また、メモリコントローラ６５は、画像メモリ６６と、ＣＰＵ６８と、ＲＯＭ６９と、ＲＡＭ７０と、連結Ｉ／Ｆ４８と、Ｉ／Ｏポート６７とに接続されている。ＣＰＵ６８は、メモリコントローラ６５等の各部への設定、読み取り部５０および書き込みユニット５７の制御を行う。また、ＣＰＵ６８は、メモリコントローラ６５を介して、画像メモリ６６（画像蓄積手段）へのデータの書き込みあるいは読み出しを行う。ＲＯＭ６９およびＲＡＭ７０は、ＣＰＵ６８で実行される制御プログラムやデータが格納されている。
【００１３】
連結Ｉ／Ｆ４８は、画像データの送受信のためメモリコントローラ６５のデータバスに接続され、データの入出力が可能な構成になっている。画像データは、画像処理装置間のデータ転送速度に応じて、画像メモリ６６を介して転送される。すなわち、画像出力時には、メモリコントローラ６５から画像メモリ６６に画像データを格納した後、画像処理装置間のデータ転送速度に応じて順次画像メモリ６６からデータを読み出して、連結Ｉ／Ｆ４８にデータを転送する。また、画像出力時は、連結Ｉ／Ｆ４８より転送される画像データを画像メモリ６６に格納した後、画像メモリ６６からメモリコントローラ６５を介して画像処理装置内部で画像データの処理を行う。これらの構成により、画像処理装置の機能の制約を受けることなく連結動作の実現が可能となる。
メモリコントローラ６５へ送出された画像信号は、メモリコントローラ６５内にある図示しない画像圧縮装置で圧縮された後、画像データとして画像メモリ６６に送られる。ここで画像圧縮する理由は、最大画像サイズ分の２５６階調のデータをそのまま画像メモリ６６に書き込むことも可能であるが、１枚の原稿画像で画像メモリを大量に使用する。従って、画像圧縮を行うことで限られた画像メモリを有効に利用することができる。また、一度に多くの原稿画像データを記憶することができるため、ソート機能として貯えられた原稿画像イメージデータをページ順に出力することができる。この場合、画像を出力する際に画像メモリ６６のデータをメモリコントローラ６５内の図示しない伸長装置で順次伸長しながら出力を行う。このような機能は一般に「電子ソート」と呼ばれている。
また、画像メモリ６６の機能を利用し、複数枚の原稿画像を画像メモリ６６の転写紙１枚分のエリアを分割したエリアに順次読み込むことも可能となる。例えば、４枚の原稿画像を画像メモリ６６の転写紙１枚分の４等分されたエリアに順次書き込むことで、４枚の原稿が１枚の転写紙イメージに合成され集約されたコピー出力を得ることが可能となる。このような機能は、一般に「集約コピー」と呼ばれている。
画像メモリ６６の画像は、ＣＰＵ６８からアクセス可能な構成になっている。このため、画像メモリの内容を加工することが可能であり、例えば、画像の間引き処理あるいは画像の切り出し処理を行うことができる。画像メモリ６６の内容の加工は、メモリコントローラ６５のレジスタにデータを書き込むことで画像メモリの処理を行うことができる。加工された画像は、再度画像メモリ６６に保持される。
また、画像メモリ６６の内容をＣＰＵ６８が読み出し、Ｉ／Ｏポート６７を経て、画像データとして操作部３０に転送することが可能な構成になっている。一般に、操作部３０の画面表示解像度が低いため、画像メモリ６６の原画像は画像間引き処理が行われ操作部３０に送られる。
画像メモリ６６は、ＲＡＭやハードディスク等、種々のものを用いることができるが、多くの画像データを格納するため、ハードディスクが使用される。ハードディスクを使用することにより、外部電源が不用で永久的に画像を保持できる特徴がある。複数の定型の原稿（フォーマット原稿）をスキャナで読み込み保持するためには、このハードディスクが使用されるのが一般的である。また、画像メモリ６６としてＲＡＭ等を使用した場合には、画像メモリ６６の内容を退避させ、保存するためのＨＤＤ７３（画像蓄積手段）を備えてもよい。
【００１４】
図６はセレクタ６４における１ページ分の画像信号について説明するタイミングチャートである。／ＦＧＡＴＥは、１ページの画像データの副走査方向の有効期間を表している。／ＬＳＹＮＣは、１ライン毎の主走査同期信号であり、この信号が立ち上がった後の所定クロックで、画像信号が有効となる。主走査方向の画像信号が有効であることを示す信号が、／ＬＧＡＴＥである。これらの信号は、画素クロックＶＣＬＫに同期しており、ＶＣＬＫの１周期に対し１画素のデータが送られてくる。画像処理部（ＩＰＵ）４９は、画像入力、出力それぞれに対して別個の／ＦＧＡＴＥ、／ＬＳＹＮＣ、／ＬＧＡＴＥ、ＶＣＬＫの発生機構を有しており、様々な画像入出力の組み合わせが実現可能になる。
また、作業分担するために他のデジタル複写機と画像データやコマンドの送受信を行う必要があるが、これは、この実施例では画像データの送受信用にＩＥＥＥ１３９４の連結インターフェースを、コマンドの送受信用にシリアル通信ラインを用いている。図５のメモリコントローラ６５が連結Ｉ／Ｆ４８を介してそれを実現している。
【００１５】
図７は本発明の画像形成装置内のソフトウェア制御モジュール構成と、画像転送、印刷制御について説明する図である。図７（ａ）はソフトウェア制御モジュール構成を示し、図７（ｂ）は画像形成装置の親機と子機がＩＥＥＥ１３９４インターフェースを介して接続されている図である。なお、親機及び子機共に略同一の構成であるが、子機は後述するアプリケーション層に子機共通のアプリケーション１２６を備えている。
アプリケーション層１２０ａ、１２０ｂで設定されたジョブ情報は、スタートキーなどをトリガーにコントロールサービス層１２２ａ、１２２ｂに受け渡される。コントロールサービス層１２２ａ、１２２ｂは、アプリケーション層１２０ａ、１２０ｂからのジョブ情報を解釈し、ハンドラ層１２４ａ、１２４ｂを動作させるためのプロセス情報をハンドラマネージャ１３０に要求する。ハンドラマネージャ１３０は、プロセス情報に従って個々のハンドラ１３１〜１３３を動作させる。ハンドラ層１２４ａ、１２４ｂには、読み取りユニットを制御するスキャナハンドラ１３１ａ、１３１ｂ、画像メモリへの画像データの入出力を制御する画像メモリハンドラ１３２ａ、１３２ｂ、書き込みユニットと用紙搬送、後処理周辺機を制御するプロッタハンドラ１３３ａ、１３３ｂが有り、これらのソフトウェアモジュールが連携して、読み取りから画像メモリへの蓄積と画像形成の処理が行われる。
さらに本画像形成装置のコントロールサービス層１２２ａ、１２２ｂには、他の画像形成装置と連結するための、連結Ｉ／Ｆドライバ１３５ａ、１３５ｂを備え、この連結Ｉ／Ｆドライバ１３５ａ、１３５ｂを介して画像データとコマンド情報の受け渡しが可能になっている。単体コピージョブでは、画像の読み取りと蓄積、蓄積画像の印刷という手順で行われるが、連結コピージョブでは、前記手順に加え以下の制御が加わる。
親機側で発生した連結コピージョブは、親機のコントロールサービス１２２ａ内でジョブ情報が解釈された後、スキャナで読みとった画像を画像メモリに蓄積するプロセスと、その画像を子機の画像メモリに転送するプロセスに分けてそれぞれ実行される。必要な画像の転送が完了すると、子機のコントロールサービス１２２ｂは、親機のコントロールサービス１２２ａから受け取った情報に従って、予め転送されている画像データを参照する印刷プロセスを生成し、子機のハンドラマネージャ１２４ｂに印刷を要求する。そして子機のコントロールサービス１２２ｂは、親機に対して自機で処理した印刷ジョブを親機に逐次通知する。この情報に従って親機のコントロールサービス１２２ａは、自機の印刷ジョブと子機側の印刷ジョブの経過を監視し、必要分の印刷を行う。
【００１６】
図８は本発明の親機連結動作を説明するためのフローチャートである。本説明では２台の画像形成装置がＩＥＥＥ１３９４インターフェースを介して接続状態にあり、親機で原稿を読み取り、読み取った画像を上記インターフェースを使って子機に転送して、親機及び子機で印刷を分担する。まず、親機の連結動作の流れを説明する。
図３の連結コピーキー４０が押下されることにより、上記インターフェースにより接続されている画像形成装置が存在するかどうかをチェックし、存在する場合には連結コピーキーが白黒反転され、親機以外の画像形成装置と接続できたこととなる。また同時に図２のプリントキー３４がグリーンとなりコピースタート可能な状態となる。ここでプリントキー３４が押下されると（Ｓ１）、原稿を読み込むため、圧板またはＡＤＦに原稿が存在するかどうかチェックする（Ｓ２）。原稿が存在しない場合には「原稿サイズが分かりません」のメッセージを図３のメッセージエリアに表示する。原稿が存在している場合には、原稿台にあった原稿を給送ローラ、給送ベルトによりコンタクトガラス上に送り、読み取りユニットによって原稿を読み込み（Ｓ３）、試しコピーモードかどうかの判定を行い（Ｓ４）、試しコピーモードである場合には、ステップ３にて読み取った原稿が最終原稿かどうかの判定をする（Ｓ５）。最終原稿でなければ再度ステップ３に戻り読み取り動作を実行する。最終原稿であればそれまで読み込んだ原稿の印刷を１部分だけ行う（Ｓ７）。印刷が完了すると操作部３１にさらに残りの部を同じコピーモードで継続するかどうかの確認メッセージが表示される（Ｓ８）。次に継続されたか否かを判断し（Ｓ９）、継続が選択されると、子機に対してこれから連結印刷を行うためにジョブスタート要求を送信する（Ｓ１０）。一方、継続が選択されなかった場合には、印刷関係のみコピーモードが変更できて（Ｓ１１）、再度試しコピーキーを押下することにより、ステップ７に戻り１部目の印刷を行う。ステップ１０にて子機ジョブスタート要求送信後は、試しコピー設定部数が１部であるかどうかの判定を行い（Ｓ１２）、１部以外の設定であれば、画像読み込むことにより得られた画像に関する情報（画像主副走査ドット数、転写紙サイズコード、解像度、画像方向、印刷面、画像フォーマットデータ等）を連結インターフェースを介して親機から子機へ送信する（Ｓ１５）。なお、これらの画像に関する情報は子機で印刷する際必要な情報である。画像主副走査ドット数は書き込みの範囲、転写紙サイズコードはトレイを自動選択、画像方向は印刷する際の出力回転角度、印刷面は片面／両面表面／両面裏面のどの面で印刷するのかに必要となる。次に既に原稿が全て読み終わっているので、最終ページであることを通知し（Ｓ１６）、実際に全画像転送が行われたどうかのチェックを行い（Ｓ１７）、全原稿画像の転送が完了した時点で子機へ画像転送終了通知を送信する（Ｓ１８）。次に印刷動作であるが、その部の印刷を親機にて行ってもよいかの判定を行う（Ｓ１９）。なお本実施例では部毎に親子で印刷を分担するため、この判定は部先頭の印刷時のみ行うことにしている。その部を親機にて分担する場合には実際に印刷を実行する（Ｓ２０）。そして、原稿分の印刷が１部完了した時点で印刷結果成功を登録しておく（Ｓ２１）。
また、ステップ１９にて親機にて印刷分担するものがないと判定された場合には、親機及び子機に割り当てた印刷が完了しているかどうかの判定を行い（Ｓ２２）、完了している場合にはＨＤＤに退避しているか画像メモリ上にある画像データを削除する（Ｓ２３）。画像削除が完了すると連結ジョブがエンドとなる（Ｓ２４）。
一方、ステップ１２で試しコピー設定部数が１部であった場合には、ステップ２３と同様画像データを削除する（Ｓ１３）。画像削除が完了するとステップ２４同様連結ジョブがエンドとなる（Ｓ１４）。つまり、子機ジョブはステップ１０の子機ジョブスタート要求も行わない上に当然、ステップ１５で行っている画像転送も行わない。
【００１７】
次に子機の連結動作の流れを説明する。図９は本発明の子機連結動作を説明するためのフローチャートである。親機からステップ１０またはステップ３７にて子機ジョブスタート要求が送信されると子機側の連結ジョブがスタートし（Ｓ２５）、１ページ目の画像情報を要求し（Ｓ２６）、１ページ目の画像情報応答を待ち（Ｓ２７）、画像情報を受信していればその画像が最終ページかどうか判定する（Ｓ２８）。ステップ２７で待っているページ情報とは親機ステップ１５にて送信されてものである。ステップ２７の画像情報に情報なしのフラグがセットされていれば前ページで最終ページと判定し、ステップ２８へ進む、逆に最終ページと判定されなかった場合にはステップ２６へ戻って、次のページの画像情報を要求する。次に実際の画像が転送されたかどうかの判定をするために、親機からの全画像転送終了を待つ（Ｓ２９）。これは本フローチャートのステップ１８にあたる。ここで親機から全画像転送終了を受信すると、その部の印刷を子機にて行ってもよいかの問い合わせを親機に送信し（Ｓ３１）、その返信がＯＫならば実際に印刷を実行する（Ｓ３２）。そして最終ページまでの印刷が１部完了すると印刷結果成功を親機に送信する（Ｓ３３）。この結果を親機ステップ２２にて子機に割り当てた印刷が完了したどうかの判定に使用される。
また、その返信がＮＧならば、子機に割り当てられた印刷が完了しているかどうかの判定を行う（Ｓ３４）。ここで子機にて分担する印刷全てが完了していれば、親機の印刷実行状態に関わらず、子機のＨＤＤに退避している画像または画像メモリ上の画像を削除する（Ｓ３５）。この時削除する画像は１ページ目から最終ページまでの画像を一度に削除することになる。画像削除が完了すると連結子機ジョブがエンドとなる（Ｓ３６）。
【図面の簡単な説明】
【００１８】
【図１】本発明の実施形態に係る画像形成装置の構成図。
【図２】本発明の画像形成装置の操作部３０を示した図。
【図３】本発明の操作部３０の液晶タッチパネル３１の表示一例を示した図。
【図４】本発明のメインコントローラ２０を中心とした制御装置４００のブロック構成図。
【図５】本発明の画像処理部（画像読み取り部と画像書き込み部）の構成図。
【図６】本発明のセレクタ６４における１ページ分の画像信号について説明するタイミングチャート。
【図７】本発明の画像形成装置内のソフトウェア制御モジュール構成と、画像転送、印刷制御について説明する図。
【図８】本発明の親機連結動作を説明するためのフローチャート。
【図９】本発明の子機連結動作を説明するためのフローチャート。
【符号の説明】
【００１９】
１２０ａ、１２０ｂ  アプリケーション層、１２２ａ、１２２ｂ  コントロールサービス層、１２４ａ、１２４ｂ  ハンドラ層、１３０  ハンドラマネージャ、１３１ａ、１３１ｂ  スキャナハンドラ、１３２ａ、１３２ｂ  画像メモリハンドラ、１３３ａ、１３３ｂ  プロッタハンドラ
【図１】
2005197961.tif 000003
【図２】
2005197961.tif 000004
【図３】
2005197961.tif 000005
【図４】
2005197961.tif 000006
【図５】
2005197961.tif 000007
【図６】
2005197961.tif 000008
【図７】
2005197961.tif 000009
【図８】
2005197961.tif 000010
【図９】
2005197961.tif 000011